(57)【要約】【課題】さらなる省力化が図れ、個人情報の保護にも配慮した隠蔽部付き配送伝票を提供する。【解決手段】隠蔽部付き配送伝票１０は、伝票領域１１Ａ及び情報領域１１Ｂを有する伝票基材１１と、伝票基材１１の裏面に設けられ、伝票基材１１を荷物に貼付するための粘着剤１４を有する貼付部１２と、伝票基材１１に連接され、少なくとも情報領域１１Ｂを隠蔽する隠蔽部１８とを備え、隠蔽部１８の第１の隠蔽基材１９−１は、下層の再剥離再貼付糊２１をコの字状に表出させる表出用ハーフカットｈｃ２と、伝票基材１１の情報領域１１Ｂと対向する部分に設けられた他の情報領域１９Ａとを備え、折りミシン目ｍｃ１で隠蔽部１８を内側に折り畳み、各情報領域を隠蔽する。【選択図】図１
2006297784.tif 000002
【特許請求の範囲】
【請求項１】
伝票領域及び情報領域を有する伝票基材と、
前記伝票基材の裏面に設けられ、前記伝票基材を配送物に貼付するための粘着剤層を有する貼付部と、
前記伝票基材に連接され、少なくとも前記情報領域を隠蔽する隠蔽部と、
を備える隠蔽部付き配送伝票。
【請求項２】
請求項１に記載の隠蔽部付き配送伝票において、
前記隠蔽部は、少なくとも再剥離再貼付粘着剤層を備えるものであり、その再剥離再貼付粘着剤層を前記情報領域又はその付近に粘着させて前記情報領域を隠蔽すること、
を特徴とする隠蔽部付き配送伝票。
【請求項３】
請求項２に記載の隠蔽部付き配送伝票において、
前記隠蔽部は、使用時に前記再剥離再貼付粘着剤層の少なくとも一部を表出させる表出部を備えること、
を特徴とする隠蔽部付き配送伝票。
【請求項４】
請求項２又は請求項３に記載の隠蔽部付き配送伝票において、
前記隠蔽部は、
前記伝票基材に連接された第１の隠蔽基材と、
前記第１の隠蔽基材の裏面に設けられた剥離層と、
前記剥離層の裏面に設けられた前記再剥離再貼付粘着剤層と、
前記再剥離再貼付粘着剤層の裏面に設けられた第２の隠蔽基材とを備えること、
を特徴とする隠蔽部付き配送伝票。
【請求項５】
請求項１に記載の隠蔽部付き配送伝票において、
前記隠蔽部は、少なくとも強粘着剤層を備えるものであり、その強粘着剤層を前記情報領域付近に粘着させて前記情報領域を隠蔽すること、
を特徴とする隠蔽部付き配送伝票。
【請求項６】
請求項５に記載の隠蔽部付き配送伝票において、
前記隠蔽部は、隠蔽した前記情報領域を開封するための開封部を備えること、
を特徴とする隠蔽部付き配送伝票。
【請求項７】
請求項５又は請求項６に記載の隠蔽部付き配送伝票において、
前記隠蔽部は、
前記伝票基材に連接された隠蔽基材と、
前記隠蔽基材の表面に設けられた前記強粘着剤層とを備えること、
を特徴とする隠蔽部付き配送伝票。
【請求項８】
請求項７に記載の隠蔽部付き配送伝票において、
前記強粘着剤層は、前記隠蔽基材の連接辺の反対側の１辺に設けられていること、
を特徴とする隠蔽部付き配送伝票。
【請求項９】
請求項１から請求項６までのいずれか１項に記載の隠蔽部付き配送伝票において、
前記伝票基材に前記貼付部と前記隠蔽部とを配置した状態で、略全面にわたって略均一な厚みであること、
を特徴とする隠蔽部付き配送伝票。
【請求項１０】
請求項１から請求項９までのいずれか１項に記載の隠蔽部付き配送伝票において、
前記隠蔽部は、前記伝票基材の情報領域と対向する部分に他の情報領域を備えること、
を特徴とする隠蔽部付き配送伝票。
【請求項１１】
請求項１から請求項１０までのいずれか１項に記載の隠蔽部付き配送伝票において、
前記隠蔽部は、前記情報領域に対応する部分に地紋層を備えること、
を特徴とする隠蔽部付き配送伝票。
【請求項１２】
請求項１から請求項１１までのいずれか１項に記載の隠蔽部付き配送伝票において、
前記貼付部は、
タック基材，前記粘着剤層及び剥離シートからなるタックシートと、
前記伝票基材と前記タック基材とを、接着及び／又は擬似接着する接着構造とを備えること、
を特徴とする隠蔽部付き配送伝票。
【請求項１３】
請求項１から請求項１２までのいずれか１項に記載の隠蔽部付き配送伝票において、
前記伝票領域は、少なくとも配達票と貼付票とを含むこと、
を特徴とする隠蔽部付き配送伝票。
【請求項１４】
請求項１から請求項１３までのいずれか１項に記載の隠蔽部付き配送伝票において、
前記情報領域は、少なくとも配送時に付随して発行される票を含むこと、
を特徴とする隠蔽部付き配送伝票。
【発明の詳細な説明】
【技術分野】
【０００１】
本発明は、隠蔽部が付属された配送伝票に関するものである。
【背景技術】
【０００２】
昨今、送り状や配送伝票の１ｐｔ（パート）化が進み、その結果、商品明細票（ピッキングリスト）や返品連絡票、払込票といった、配送時に付随して発行されるべき伝票が一体化された、いわゆる『一体化配送伝票』が広く使われている（例えば、特許文献１）。
これは、これまでＤＩＰ（ドットインパクトプリンタ）で印字されていた多ｐｔ配送伝票と、ＮＩＰ（ノンインパクトプリンタ）で印字されていた商品明細票などとを目視や専用のマシンでマッチングさせる作業がなくなり、かつ、作業の正確性向上やコストダウン（作業者減少化）が図れるためである。
【０００３】
通常は、この一体化配送伝票を、例えば、配送伝票部と商品明細票部などといった状態となるようミシン目で分割し、商品明細票は、配送物の箱の中に入れ、配送伝票は箱の外側に貼る、といった利用方法となる。
しかし、この作業のうち、例えば、すでに梱包されている製品を一旦開梱するのは、資源的にもコスト的にも無駄、との声もあり、本件発明者は、すでにこれらの声に応える形態案も種々提案しているが、さらに省力化、省資源化に寄与しうる形態や、昨今法規制されはじめた『個人情報保護』にも配慮した形態が望まれている。
【特許文献１】特開２００３−４８３８５号公報
【発明の開示】
【発明が解決しようとする課題】
【０００４】
本発明の課題は、さらなる省力化が図れ、個人情報の保護にも配慮した隠蔽部付き配送伝票を提供することである。
【課題を解決するための手段】
【０００５】
前記課題を解決するために、請求項１の発明は、伝票領域及び情報領域を有する伝票基材と、前記伝票基材の裏面に設けられ、前記伝票基材を配送物に貼付するための粘着剤層を有する貼付部と、前記伝票基材に連接され、少なくとも前記情報領域を隠蔽する隠蔽部と、を備える隠蔽部付き配送伝票である。
請求項２の発明は、請求項１に記載の隠蔽部付き配送伝票において、前記隠蔽部は、少なくとも再剥離再貼付粘着剤層を備えるものであり、その再剥離再貼付粘着剤層を前記情報領域又はその付近に粘着させて前記情報領域を隠蔽すること、を特徴とする隠蔽部付き配送伝票である。
請求項３の発明は、請求項２に記載の隠蔽部付き配送伝票において、前記隠蔽部は、使用時に前記再剥離再貼付粘着剤層の少なくとも一部を表出させる表出部を備えること、を特徴とする隠蔽部付き配送伝票である。
請求項４の発明は、請求項２又は請求項３に記載の隠蔽部付き配送伝票において、前記隠蔽部は、前記伝票基材に連接された第１の隠蔽基材と、前記第１の隠蔽基材の裏面に設けられた剥離層と、前記剥離層の裏面に設けられた前記再剥離再貼付粘着剤層と、前記再剥離再貼付粘着剤層の裏面に設けられた第２の隠蔽基材とを備えること、を特徴とする隠蔽部付き配送伝票である。
請求項５の発明は、請求項１に記載の隠蔽部付き配送伝票において、前記隠蔽部は、少なくとも強粘着剤層を備えるものであり、その強粘着剤層を前記情報領域付近に粘着させて前記情報領域を隠蔽すること、を特徴とする隠蔽部付き配送伝票である。
請求項６の発明は、請求項５に記載の隠蔽部付き配送伝票において、前記隠蔽部は、隠蔽した前記情報領域を開封するための開封部を備えること、を特徴とする隠蔽部付き配送伝票である。
請求項７の発明は、請求項５又は請求項６に記載の隠蔽部付き配送伝票において、前記隠蔽部は、前記伝票基材に連接された隠蔽基材と、前記隠蔽基材の表面に設けられた前記強粘着剤層とを備えること、を特徴とする隠蔽部付き配送伝票である。
請求項８の発明は、請求項７に記載の隠蔽部付き配送伝票において、前記強粘着剤層は、前記隠蔽基材の連接辺の反対側の１辺に設けられていること、を特徴とする隠蔽部付き配送伝票である。
請求項９の発明は、請求項１から請求項６までのいずれか１項に記載の隠蔽部付き配送伝票において、前記伝票基材に前記貼付部と前記隠蔽部とを配置した状態で、略全面にわたって略均一な厚みであること、を特徴とする隠蔽部付き配送伝票である。
請求項１０の発明は、請求項１から請求項９までのいずれか１項に記載の隠蔽部付き配送伝票において、前記隠蔽部は、前記伝票基材の情報領域と対向する部分に他の情報領域を備えること、を特徴とする隠蔽部付き配送伝票である。
請求項１１の発明は、請求項１から請求項１０までのいずれか１項に記載の隠蔽部付き配送伝票において、前記隠蔽部は、前記情報領域に対応する部分に地紋層を備えること、を特徴とする隠蔽部付き配送伝票である。
請求項１２の発明は、請求項１から請求項１１までのいずれか１項に記載の隠蔽部付き配送伝票において、前記貼付部は、タック基材，前記粘着剤層及び剥離シートからなるタックシートと、前記伝票基材と前記タック基材とを、接着及び／又は擬似接着する接着構造とを備えること、を特徴とする隠蔽部付き配送伝票である。
請求項１３の発明は、請求項１から請求項１２までのいずれか１項に記載の隠蔽部付き配送伝票において、前記伝票領域は、少なくとも配達票と貼付票とを含むこと、を特徴とする隠蔽部付き配送伝票である。
請求項１４の発明は、請求項１から請求項１３までのいずれか１項に記載の隠蔽部付き配送伝票において、前記情報領域は、少なくとも配送時に付随して発行される票を含むこと、を特徴とする隠蔽部付き配送伝票である。
【発明の効果】
【０００６】
本発明によれば、伝票基材に連接された隠蔽部で、伝票基材の情報領域を簡単に隠蔽することができるので、従来のミシン目での分離作業そのものをなくすことができ、事務作業の省力化が図れる。
また、情報領域を隠蔽部で隠蔽することによって、個人情報の保護にも配慮した隠蔽部付き配送伝票とすることができる。
【発明を実施するための最良の形態】
【０００７】
本発明は、さらなる省力化が図れ、個人情報の保護にも配慮した隠蔽部付き配送伝票を提供するという目的を、伝票基材に隠蔽部を連接し、その隠蔽部で伝票基材の情報領域を隠蔽することにより実現する。
【実施例１】
【０００８】
以下、図面等を参照して、本発明の実施例について、さらに詳しく説明する。
図１は、本発明による隠蔽部付き配送伝票の実施例１を示す図である。
実施例１の隠蔽部付き配送伝票１０は、図１（Ａ）に示すように、伝票基材１１と、貼付部１２と、隠蔽部１８などとを備える。
【０００９】
伝票基材１１は、伝票領域１１Ａ及び情報領域１１Ｂを有する上質紙であり、伝票領域１１Ａには、配達先で剥離して配達確認印をもらう配達票や、配達先の情報が表示された荷札となる貼付票が設けられ、情報領域１１Ｂには、商品明細票が設けられている。
また、伝票基材１１には、伝票領域１１Ａと情報領域１１Ｂとの境界部分に分離用ハーフカットｈｃ１が設けられ、その分離用ハーフカットｈｃ１は、伝票基材１１の表面からタック基材１３を貫通しないように切り込まれている。
【００１０】
貼付部１２は、伝票基材１１の裏面に設けられ、伝票基材１１を荷物（配送物）に貼付するためのものであり、タック基材１３，粘着剤（粘着剤層）１４及び剥離紙（剥離シート）１５からなるタック紙（タックシート）１６と、伝票基材１１とタック基材１３とを、擬似接着する接着構造（剥離層１７ａ／接着剤１７ｂ）１７とを備える。
【００１１】
隠蔽部１８は、情報領域１１Ｂを隠蔽するものであり、伝票基材１１に折りミシン目ｍｃ１を介して連接され、上質紙からなる第１の隠蔽基材１９−１と、第１の隠蔽基材１９−１の裏面に設けられた剥離層２０と、剥離層２０の裏面に設けられた再剥離再貼付糊（再剥離再貼付粘着剤層）２１と、再剥離再貼付糊２１の裏面に設けられ、上質紙からなる第２の隠蔽基材１９−２とを備える。
【００１２】
第１の隠蔽基材１９−１は、使用時に、下層の再剥離再貼付糊２１をコの字状に表出させる表出用ハーフカット（表出部）ｈｃ２を備える。
また、第１の隠蔽基材１９−１は、折りミシン目ｍｃ１で折り畳まれたときに、伝票基材１１の情報領域１１Ｂと対向する部分に他の情報領域１９Ａを備え、その他の情報領域１９Ａには、返品連絡票が設けられている。
なお、実際には、伝票基材１１と第１の隠蔽基材１９−１とは、１枚の上質紙から製造されている。
【００１３】
また、この隠蔽部付き配送伝票１０は、伝票基材１１に貼付部１２と隠蔽部１８とを配置した状態で、略全面にわたって略均一な厚みとなっている。
【００１４】
次に、実施例１による隠蔽部付き配送伝票１０の使用方法について説明する。
まず、ＯＡプリンタなどで、伝票領域１１Ａや各情報領域に必要事項を印字する。
ついで、図１（Ｂ）に示すように、表出用ハーフカットｈｃ２によって、第１の隠蔽基材１９−１周縁部の一部を剥がし、再剥離再貼付糊２１をコの字状に表出させる。
さらに、図１（Ｃ）に示すように、折りミシン目ｍｃ１によって、隠蔽部１８を内側に折り畳み、表出させた再剥離再貼付糊２１を情報領域１１Ｂ付近に粘着させて各情報領域を隠蔽する。
そして、裏面の剥離紙１５を剥がし、この状態のまま、荷物に貼付する。
このとき、隠蔽部１８のみが折り畳まれた状態で、図中Ａ部分が荷物にラベリングされ、全体が浮き上がることなく、荷物が配送される。
荷物の受取側では、再剥離再貼付糊２１部分で開封し、商品明細票と返品連絡票とを確認し、その部分を分離用ハーフカットｈｃ１を用いて剥がし取って、保管する。
【００１５】
このように、実施例１によれば、以下のような効果がある。
（１）伝票基材１１に連接された隠蔽部１８を折り畳むだけで、各情報領域を簡単に隠蔽することができるので、配送前に、商品明細票などをミシン目で切り取ったり、荷物の箱の中に入れたりする必要はなく、事務作業の省力化が図れる。
（２）各情報領域を隠蔽部１８で隠蔽することによって、個人情報の保護にも配慮した隠蔽部付き配送伝票１０とすることができる。
【００１６】
（３）隠蔽部１８は、再剥離再貼付糊２１を有するものであるが、第１の隠蔽基材１９−１の裏面に剥離層２０を設けているので、開封時には、再剥離再貼付糊２１は、第２の隠蔽基材１９−２に残り、商品明細票や返品連絡票には、再剥離再貼付糊２１が残らず、保管時にべたつきがない、という利点がある。
（４）全体的に厚みを略均一化することにより、印字適性が優れ、また、印字時に給紙方向が制約されない、というメリットがある。
【００１７】
（５）伝票領域１１Ａと各情報領域とが同一平面上にあるので、両者を同時に印字することができ、マッチングミスを防止することができる。
（６）配送時には、配送業務に直接的に関係しない各情報領域が隠蔽されているので、配送業務を行いやすい。
（７）商品明細票や返品連絡票を多用する通信販売に好適である。
【実施例２】
【００１８】
図２は、本発明による隠蔽部付き配送伝票の実施例２を示す図である。
なお、前述した実施例１と同様な機能を果たす部分には、同一の符号又は末尾に統一した符号を付して、重複する説明や図面を適宜省略する。
実施例２の隠蔽部付き配送伝票１０Ａは、実施例１の隠蔽部付き配送伝票１０と比較して、隠蔽部の構成が異なる。
隠蔽部１８Ａは、伝票基材１１に連接された隠蔽基材１９と、隠蔽基材１９の表面であって、隠蔽基材１９の連接辺の反対側の１辺に設けられた両面粘着テープ２２とを備える。
両面粘着テープ２２は、強粘着剤（強粘着剤層）２３と、強粘着剤２３を使用時まで保護する保護シート２４とを備え、隠蔽基材１９は、両面粘着テープ２２よりも内側に、隠蔽した各情報領域を開封するための開封用ミシン目（開封部）ｍｃ２を備える。
【００１９】
次に、実施例２による隠蔽部付き配送伝票１０Ａの使用方法について簡潔に説明する。
まず、図２（Ｂ）に示すように、保護シート２４を剥がして強粘着剤２３を表出させ、ついで、図２（Ｃ）に示すように、折りミシン目ｍｃ１で隠蔽部１８Ａを内側に折り畳み、表出させた強粘着剤２３を情報領域１１Ｂ付近に粘着させて各情報領域を隠蔽する。
そして、裏面の剥離紙１５を剥がし、隠蔽部付き配送伝票１０Ａを荷物に貼付し、この状態で荷物を配送する。
荷物の受取側では、開封用ミシン目ｍｃ２で開封し、商品明細票と返品連絡票とを確認し、その部分を分離用ハーフカットｈｃ１を用いて剥がし取って、保管する。
【００２０】
このように、実施例２によれば、一端縁に強粘着となる両面粘着テープ２２を備えるので、直感的に使用方法を理解しやすく、作業性もよい。
また、両面粘着テープ２２で完全に接着する形態としたので、実施例１のものでは、複数回の剥離／貼付が繰り返せるため、一度情報を確認した後でも再度隠蔽することができるのに対し、実施例２のものでは、開封用ミシン目ｍｃ２で開封しないと内部の情報を目にすることができない、という差があり、個人情報保護レベルが向上している。
【００２１】
さらに、両面粘着テープ２２以外の部分は、糊付けしていないため、隠蔽している部分が『筒状』になって内部の情報を横から目にすることができる、とも考えられるが、一般的な箱形状の荷物の場合には、隠蔽している部分を剥がさない限り、その部分は撓まないため、内部を読み取ることは困難である。したがって、資材に無駄がなく、省資源化に寄与しうる形態とすることができる。
【００２２】
（変形例）
以上説明した実施例に限定されることなく、種々の変形や変更が可能であって、それらも本発明の均等の範囲内である。
（１）隠蔽部は、各情報領域に対応する部分（第１の隠蔽基材１９−１の裏面や、第２の隠蔽基材１９−２の表裏面、隠蔽基材１９の裏面など）に地紋層（地紋印刷など）を備えるようにしてもよい。このようにすれば、セキュリティ性がより高まる。
（２）各情報領域は、商品明細票や返品連絡票の例で説明したが、配送時に付随して発行される票であれば、払込票や保証書などであってもよい。
【００２３】
（３）実施例１のものと実施例２のものとを組み合わせた形態であってもよい。例えば、２種の糊（強粘着糊と再剥離再貼付糊）を併用して、セキュリティのレベルを部分的に変化させるようにしてもよいし、１種の再剥離再貼付糊を使用しつつ、対向面に剥離層を設け、貼り合わせ条件などで接着性を変化させて、セキュリティのレベルを変化させてもよい。
（４）分離用ハーフカットｈｃ１は、ミシン目やマイクロミシン目などのカット線であってもよい。
【図面の簡単な説明】
【００２４】
【図１】本発明による隠蔽部付き配送伝票の実施例１を示す図である。
【図２】本発明による隠蔽部付き配送伝票の実施例２を示す図である。
【符号の説明】
【００２５】
１０、１０Ａ  隠蔽部付き配送伝票
１１  伝票基材
１１Ａ  伝票領域
１１Ｂ  情報領域
１２  貼付部
１３  タック基材
１４  粘着剤（粘着剤層）
１５  剥離紙（剥離シート）
１６  タック紙（タックシート）
１７  接着構造
１７ａ  剥離層
１７ｂ  接着剤
１８、１８Ａ  隠蔽部
１９  隠蔽基材
１９−１  第１の隠蔽基材
１９−２  第２の隠蔽基材
１９Ａ  他の情報領域
２０  剥離層
２１  再剥離再貼付糊（再剥離再貼付粘着剤層）
２２  両面粘着テープ
２３  強粘着剤（強粘着剤層）
２４  保護シート
ｈｃ１  分離用ハーフカット
ｈｃ２  表出用ハーフカット（表出部）
ｍｃ１  折りミシン目
ｍｃ２  開封用ミシン目（開封部）
【図１】
2006297784.tif 000003
【図２】
2006297784.tif 000004